(57)【特許請求の範囲】
【請求項１】
小面積の受熱面から入力される熱量を均一に拡散せしめて大面積の放熱面に熱量を伝熱せしめる面間伝熱プレートであって、面方向熱伝導率が極めて高く、面を貫く垂直方向の熱伝導率が低い種類のグラファイト薄肉シート層を中心層とし、熱抵抗を無視し得る厚さの接着剤の薄膜層であり中心層を挟持する第２層と、高熱伝導率の金属薄肉層であり中心層と第２層の全てを挟持する第３層とからなり、第２層は展延性に富むゴム状弾性接着剤の薄膜層であり、第３層は展延性と可撓性に富む高熱伝導率の金属薄肉層であり、第３層の外側表面には薄膜層である第４層が被覆されてあることを特徴とし、且つ中心層、第２層、第３層は所定の温度、所定の加圧力にて相互に接着され積層化されてあり、前記中心層のグラファイトシートは密度１．０ｇ／ｃｍ３と極めて軽量であり、平面に垂直な方向の貫流熱伝導率は５Ｗ／ｍ℃であり、平面方向熱伝導率は８００Ｗ／ｍ℃であり、垂直方向の１６０倍の熱移動速度であり、純銅の２倍以上という優れた平面方向熱伝導率及び純銅の１／８０の平面に垂直な方向の貫流熱伝導率であり、前記中心層を厚さ０．２ｍｍのグラファイトシート、第３層を厚さ０．１ｍｍの純銅薄板もしくはアルミニウム薄板、第２層を無視し得る程度の厚さのシリコン系熱伝導性接着剤、で構成したことを特徴とする面間伝熱プレート。
【請求項２】
第４層は所定の温度で熔融または軟化し、発熱素子の放熱面または放熱手段の受熱面に対する加熱接着機能と加熱剥離機能を併有する低融点金属の薄膜層であることを特徴とする請求項１に記載の面間伝熱プレート。
【発明の詳細な説明】
【技術分野】
【０００１】  本発明は発熱素子と放熱手段との間を伝熱的に接続する熱接続構造体に関するものであって、特に小型強力な発熱素子から供給される大きな熱量を大面積の放熱手段に均一に拡散せしめて伝熱せしめる面間伝熱プレートの構造に関する。
【背景技術】
【０００２】  近来の半導体素子の発達は極めて著しく、またそれらを適用して構成される電子機器の進歩も極めて著しい。それらの結果として厚さ１ｍｍ以下、外寸１２ｍｍ×１２ｍｍ以下の小型軽量薄型の半導体素子で発熱量３０Ｗにも達する強力な素子が実用化された。それらが実装される電子機器もそれに対応して益々小型化されつつある。その様な小型発熱素子の放熱面と小型発熱素子を冷却する為の放熱手段の受熱面を伝熱的に接続する面間伝熱プレートについても小型薄形軽量化が要求されている。本発明者はそのような面間伝熱プレートとして特許文献１のプレートヒートパイプを提案し実用化した。実用化された面間伝熱プレートの最大熱輸送量は４０Ｗ、外寸は発熱素子の放熱面積１３ｍｍ×１３ｍｍ、放熱手段の受熱面積８０ｍｍ×８０ｍｍ、厚さ１．５ｍｍであった。即ち熱拡散倍率は３８倍であった。【０００３】  過去のまたは低性能機器に用いられる面間伝熱プレートとしては純銅プレートや純アルミプレートが使用されている。然しこの様な面間伝熱プレートでは高性能の小型機器には熱拡散性能において不足し、更に重量過多となり、現在では高性能の薄形プレートヒートパイプが用いられるようになっている。
【特許文献１】特開平１０−１８５４６８号公報
【発明の開示】
【発明が解決しようとする課題】
【０００４】  上述のごとき高性能の薄形プレートヒートパイプの実用化期間の間にも業界における半導体素子の小形軽量化は文字通り日進月歩と進展を続けており、上述の小型半導体素子の発熱量は同等の外寸で現在は８０Ｗの素子が出現しており、近い将来は１２０Ｗの素子が出現することも予測されている。他方１５Ｗ以下の小容量半導体素子の分野においては外寸サイズにおいて更に厳しい条件が要求され始めるに至った。業界の面間伝熱プレートに対する現在の要求条件としては厚さ１．３ｍｍ以下の物が要求されており、将来目標としては０．８ｍｍ以下の面間伝熱プレートの提供が要求され始めている。
また発熱量が増加するにつれて熱拡散倍率も増加しつつある。過去のその熱拡散倍率は１０倍前後であり、現在は６０倍前後に進展し、近い将来には１００倍にも達することが想定されている。【０００５】  然しプレートヒートパイプは熱拡散性能は良好であるが、貫流熱抵抗は金属プレートと大差なく、更に構造上１．５ｍｍ以下の薄形化が困難な点が問題点であった。従って今後の０．８ｍｍ以下の厚さでかつ１００倍の熱拡散倍率に対応する面間伝熱プレー−ト構成の為には、プレートヒートパイプでは技術的に対応不可能であり、問題点を解決するためには何らかの技術的ブレークスルーが必要である。
【課題を解決するための手段】
【０００６】  問題点を解決するための手段としては極最近開発され、市場で入手可能になったグラファイトシートに着目した。不純物を含まないこのグラファイトシートは平面方向熱伝導率が８００〜１０００Ｗ／（ｍ．℃）と純銅プレートの２倍以上と極めて高く、平面に垂直な方向の熱伝導率は５Ｗ／（ｍ．℃）と極めて低い熱伝導性能を有する。その密度は１．０ｇ／ｃｍ＜ＳＵＰ＞３＜／ＳＵＰ＞とアルミニゥムの１／２．７、純銅の１／８．９６と軽量であることを特徴としている。更に３０００℃以上という高い耐熱性もその大きな特徴である。市販製品の代表的なシート厚さは０．１ｍｍ、０．２ｍｍである．以上の如き物性であるからグラファイトシートは熱拡散性能は良好であるが、貫流熱抵抗が大きく改善のためには使用時に面上に大きな加圧を必要とし、また発熱素子の放熱面及び放熱手段の受熱面との接着性が悪く、面間伝熱プレートとしてはこのままでは適用不可能で工夫が必要である。【０００７】  図１は本発明に係る面間伝熱プレート１の基本的な構造を示す一部拡大断面図である。図１は小面積の受熱面から入力される熱量を均一に拡散せしめて大面積の放熱面に熱量を伝熱せしめる面間伝熱プレート１であって、平面方向熱伝導率が極めて高く、面を貫く垂直方向の熱伝導率が極めて低い種類のグラファイト薄肉シート層を中心層１−１とし、熱抵抗を無視し得る厚さの接着剤薄膜層であり中心層１−１を挟持する第２層２−１、２−２と、高熱伝導率の金属薄肉層であり中心層と第２層の全てを挟持する第３層３−１、３−２とからなり、第３層３−１、３−２の表面には必須構成要素とはならない、プレートの適用条件に対応する特殊機能を附加する薄膜層である第４層４−１、４−２が被覆されてあり、且つ中心層１−１、第２層２−１、２−２、第３層３−１、３−２は所定の温度、高い加圧力にて相互に接着され積層化されてあることを特徴としている。【０００８】  図２は本発明の面間伝熱プレートの適用状態の説明図であって、１は面間伝熱プレート、５は小型発熱素子、５−１はその放熱面、６は小型発熱素子５の熱量を放熱する為の放熱手段、６−１はその受熱面である。
【作用】
【０００９】  上記本発明に係る面間伝熱プレートの作用について以下に述べる。
（１）  この面間伝熱プレート１は熱量の授受に際して、発熱素子５の放熱面５−１または放熱手段６の受熱面６−１に大きな加圧力を加えることなく使用することが出来る。
グラファイトシートを面間伝熱プレートとして適用する場合、発熱素子５の放熱面５−１、及び放熱手段６の受熱面６−１との接着性が悪く、またその表面は接着に際して空気を抱き込み易く、熱量授受性能が極めて悪化する。従ってそのままでは適用が困難であり、そのままで適用する場合は対策として、高い加圧力を加えながら使用する必要がある。多くの場合この加圧力は発熱素子５や放熱手段６を破損せしめる恐れがあり、通常は使用不可能であった。これはグラファイトシートの優れた熱拡散性能を利用する上で大きな障害になっていた。本発明に係る面間伝熱プレート１は中心層１−１、第２層２−１、２−２、第３層３−１、３−２は予め高い圧力で加圧積層されてあるから、中心層１−１のグラファイトシートはすでに加圧を完了して抱き込み空気は排出されてあり、面間伝熱プレート１としては何等の加圧力を必要とすることなく使用することが出来る。これは本発明の重要な着眼点であり大きな作用効果である。
【００１０】（２）  この面間伝熱プレート１は平均密度を極めて小さく軽量に構成することが出来る。
中心層１−１のグラファイトシートは密度１．０ｇ／ｃｍ３と極めて軽量であるから複合構造の面間伝熱プレート１は平均密度を極めて低密度に構成することが出来る。例えば中心層１−１を厚さ０．２ｍｍのグラファイトシート、第３層３−１、３−２を厚さ０．１ｍｍのアルミニゥム薄板、第２層２−１、２−２を無視し得る程度の厚さの接着剤、で構成した厚さ０．４ｍｍの面間伝熱プレート１の平均密度は１．８６ｇ／ｃｍ３となり、アルミニゥムの密度２．７ｇ／ｃｍ３に比較して３３％軽量化される。これは従来の面間伝熱プレート（一般には純銅プレート、アルミプレートが使用される。）に比較して画期的な軽量化となり、宇宙用機器、航空用機器等に利用する場合極めて有効である。
【００１１】（３）  この面間伝熱プレート１はグラファイトシートの優れた平面方向熱伝導率の有効利用によって優れた熱拡散性能が与えられる。平面に垂直な方向の貫流熱伝導率が純銅プレートの１／８０に過ぎないグラファイトシートの欠点を補って、これによりグラファイトシートの純銅の２倍以上という優れた平面方向熱伝導率に伴う優れた熱拡散性能を有効利用することを可能にする。
グラファイトシートは純銅の２倍以上という優れた熱拡散性能を有するにも拘らず、平面に垂直な方向の貫流熱伝導率は純銅の１／８０に過ぎず、これに起因して小さな放熱面積の発熱体から十分な熱量を受熱することが不可能であり、優れた熱拡散性能を活用することが不可能であった。それに対して本発明の面間熱伝導プレート１においては小型発熱体５の小さな放熱面５−１から供給された熱量は、まず第３層３−１により熱拡散され実効受熱面積が拡大せしめられ、然る後に中心層１の、グラファイトシートに到達し、更にグラファイトシートにより十分に熱拡散せしめられ然る後に反対側の第３層３−２に到達し、第３層３−２により更に熱拡散せしめられて放熱手段６の受熱面６−１に到達する。このようにグラファイトシートの熱量授受面積が十分に拡大されるので、グラファイトシートにおける熱量の貫流熱伝導率は小さくても十分な熱量を受熱しこれを十分に拡散して放熱手段６の広い受熱面６−１に有効に伝導せしめることが出来る。
【００１２】（４）  この面間伝熱プレート１はその放熱面上において極めて優れた温度均一化性能を発揮する。
その温度均一化性能はプレート面積が極めて大きい場合はプレートヒートパイプの方が遥かに優れているが、１００ｍｍ×１００ｍｍの如く限定された小面積の場合は本発明の面間伝熱プレート１はプレートヒートパイプに劣らぬ均一化性能を発揮する。この温度均一化性能はグラファイトシート内ににおける熱量の平面方向の熱移動速度が純銅プレート内における移動速度の２倍以上という高速度性と、グラファイト内における平面に垂直な方向の移動速度が純銅プレート内における平面に垂直な方向の移動速度の１／８０という低速度性の相互作用と更に第３層３−１、３−２の高熱伝導率金属の熱量移動速度の高速性とグラファイト内熱量の移動速度の高速性の相互補完作用により齎される。
【００１３】  面間伝熱プレート１の温度均一化性能は各構成部の次の如き作用により発揮される。小型発熱素子５の放熱面５−１から供給された熱量は第３層３−１の熱伝導性の良好さにより拡散されて、拡大された受熱面から第２層２−１の極めて薄い接着剤層を介して中心層１−１のグラファイトシートに伝導される。
グラファイトシートは平面に垂直な方向の貫流熱伝導率は５Ｗ／ｍ℃であり極めて遅い熱移動速度であるのに対し、平面方向熱伝導率は８００Ｗ／ｍ℃であり、垂直方向の１６０倍の熱移動速度であるから、１００ｍｍ×１００ｍｍの如く限定されたプレート面積では導入された熱量は殆ど瞬時に全面積に拡散して、グラファイトシート全面の温度を上昇せしめる。熱伝導率が極めて大きいからシート内での温度降下は極めて少なく全面が殆ど等温度になる。また何らかの理由でシート面の一部で温度が降下した場合はシート内に蓄積されてある熱量がその温度降下部の熱量を瞬時に補充するからシート面の温度は常に均一に保たれる。この作用はヒートパイプ内壁面に低温部が発生しても作動液蒸気の高速補充により瞬時に温度が回復せしめられ常に均一温度に保たれる作用に酷似している。この様にして均一な温度に上昇せしめられた第１層１−１の熱量は、拡大された広い熱量授受面積の作用により極めて低い熱抵抗で第２層２−２を貫通して第３層３−２に伝導される。第３層２−２も熱伝導性が良好であるからこの層の温度均一化性能もグラファイトシートの温度均一化性能を補完するから、面間伝熱プレート１の温度均一化性能は益々バラツキの少ないものとなる。
【００１４】  第１層として厚さ０．２ｍｍのグラファイトシート、第２層としてシリコン系熱伝導性接着剤、第３層として厚さ０．１ｍｍの純銅薄板を適用して、厚さ０．４ｍｍ、外寸６０ｍｍ×６０ｍｍの本発明の面間伝熱プレートを製作して、厚さ２ｍｍ、外寸６０ｍｍ×６０ｍｍのフロン１４２ｂ作動液封入のプレートヒートパイプと性能の比較を行った。性能の測定は図２の如く配置して、放熱面積１３ｍｍ×１３ｍｍの小型発熱素子、受熱面積５０ｍｍ×５０ｍｍのヒートシンクを装着した。熱入力１２Ｗ、冷却対流０．２ｍ／ｓにおける熱抵抗値は面間伝熱プレート５．１℃／Ｗ、プレートヒートパイプ５．０４℃／Ｗと両者間の熱抵抗値には殆ど差異がなかった。温度均一化性能は面間伝熱プレートの±１℃に対してプレートヒートパイプは±１．５℃と本発明の面間伝熱プレートの方が良好な値を示した。この様な結果から本発明の面間伝熱プレーが厚さ０．５ｍｍ以上に構成されたものであれば厚さ２ｍｍのプレートヒートパイプより遥かに高性能となることが明らかであった。この様な小型プレートの場合はプレートヒートパイプよりは本発明の面間伝熱プレートの方が極めて有利であると判断された。
【発明の効果】
【００１５】  本発明によりプレートヒートパイプでは実現の不可能な厚さ１ｍｍ以下０．２ｍｍにも薄形化された小型面間伝熱プレートを提供することが可能になった。その熱拡散性能及び温度均一化性能はプレートヒートパイプよりも遥かに優れた性能を示す。更にその密度はアルミニウムよりも低く構成することが可能であり、適用温度領域もヒートパイプよりも広いものである。この様な従来は想像もつかなかった様な超薄形、超軽量、且つヒートパイプよりも優れる熱拡散性能を有する面間伝熱プレートは航空機用機器、宇宙用機器、移動通信用機器、可搬コンピュータ等の半導体発熱素子の熱拡散、放熱に広く活用されることが期待される。
【発明を実施するための最良の形態】
【実施例】
【００１６】［第一実施例］  本発明に係る面間伝熱プレート１は厚さ１ｍｍ以下の薄形に構成することが出来る。この場合は曲げ加工を施して使用される例が多い。また非常に薄形であるから使用時に屈曲せしめられる場合も多い。また伝熱プレートであるから必然的に高温度と低温度の温度サイクルを受けることは避けられない。
これらの場合第３層３−１、３−２の金属材料によっては第１層１−１との膨張係数が著しく異なることにより第２層２−１、２−２には著しいストレスが係ることになる。第一実施例は上述のごとき場合に第２層２−１、２−２において層間剥離が発生したり、第２層２−１、２−２が切断したりすることによる性能低下を防止する為の実施例である。本実施例においては第２層２−１、２−２には展延性に富むゴム状弾性接着剤の薄膜層が適用され、第３層３−１、３−２には展延性と可撓性に富む高熱伝導率の金属薄肉層が適用されて実施される。【００１７】［第二実施例］  第二実施例は第一実施例より高機能を発揮する構成である。図１における第３層３−１、３−２は展延性と可撓性に富む高熱伝導率の金属薄肉層であり、第２層２−１、２−２は展延性に富み且つ第３層を形成する金属より融点が低い合金材の薄膜層であることを特徴とする。第一実施例の場は面間伝熱プレート１適用温度領域が接着剤の適用温度領域により限定される問題があった。伝熱性良好な接着剤の適用温度領域は２００℃以下である。本実施例では第２層２−１、２−２の接着剤としては第３層３−１、３−２の金属薄肉層より融点の低い合金層が適用されてあるから、第３層３−１、３−２がアルミニゥムの場合は６００℃以下、純銅の場合は１０００℃以下の如く適用温度領域が大幅に拡大される。グラファイトシートは金属との接着性が良好とは言えないが、高圧下において真空熔着することにより実用上は支障のない程度の接着力が得られる。実施に当たってはグラファイトシートの外縁、及び第２層合金層の外縁より第３層３−１、３−２の外縁を稍大きめに形成して、合金層の熔着と同時に第３層３−１と第３層３−２との相互間を直接溶接またはろう接し、完全溶接部である外縁部を付加形成することにより、第２層の熔着によるグラファイトシートとの接合の信頼性を向上せしめることが出来る。第二実施例は第一実施例の接着剤接合のプレートより熱伝導性が大幅に向上する点も大きな利点となる。【００１８】［第三実施例］  本発明の面間伝熱プレート１は極めて薄形に構成されすることが出来るがその場合余りに柔軟に過ぎて実装時に困難を発生することがある。第三実施例はその対策を講じた実施例である。本実施例では第３層３−１、３−２を構成する両面の層の、放熱部５−１の面積の小さな小型発熱素子５を接着する側の層３−１は展延性と可撓性に富む高熱伝導率の金属薄肉層で構成し、受熱部６−１の面積の広い放熱手段６を接着する面の層３−２は強靭な可撓性に乏しい金属薄肉層で構成する。この場合熱量授受面積の小さな小型発熱素子５を接着する側の層は熱伝導率の高い金属薄肉層で構成する必要があり、熱量授受面積の大きな放熱手段側の層は多少熱伝導性を犠牲にしても強靭な可撓性に乏しい金属薄肉層で構成することが出来る。この様な構成とすることにより面間伝熱プレート１を全体として強靭な構造とすることが出来る。【００１９】［第四実施例］  本発明の面間伝熱プレート１は極めて薄形に構成されすることが出来るので、その反面機械的強度が低下することは避けられない。従ってその実装に際して接着剤を使用する場合、小型発熱素子５の交換等の為の分解剥離に際して変形し易く再使用に不可能になることがある。また接着剤実装の場合は熱抵抗の増加を避ける加圧接着の必要があり、それに起因する面間伝熱プレート１の変形損傷を引き起こす例も多い。第四実施例はそれらの対策が施された構成である。図１において第４層４−１、４−２は所定の温度で熔融または軟化し、発熱素子の放熱面または放熱手段の受熱面に対する接着に際して加圧の必要の無い加熱接着機能と、また剥離に際して強い外力を加える必要の加熱剥離機能の両機能を併有する低融点金属の薄膜層であることを特徴としている。
【図面の簡単な説明】
【００２０】
【図１】本発明の面間伝熱プレートの基本構造の説明図で一部拡大図である。
【図２】本発明の面間伝熱プレートの適用状態を示す説明図である。
【符号の説明】
【００２１】１        面間伝熱プレート
１−１    中心層
２−１    第２層
２−２    第２層
３−１    第３層
３−２    第３層
４−１    第４層
４−２    第４層
５        小型発熱素子
５−１    小型発熱素子の放熱部
６        放熱手段
６−１    放熱手段の受熱部
【図１】
0004803515.tif 000002
【図２】
0004803515.tif 000003